(57)【特許請求の範囲】
【請求項１】
データが記録されるデータ記録領域と上記データ記録領域に記録されるデータを管理する管理情報が記録される管理情報記録領域とを備える記録媒体に受信された放送信号から抽出されるオーディオ信号を記録する記録装置において、
上記オーディオ信号のトラックの切れ目を判別するトラックチェンジ判別手段と、
上記オーディオ信号を上記記録媒体のデータ記録領域に記録する記録手段と、
コレクション指示が入力される操作手段と、
上記操作手段から入力されるコレクション指示が保持されるコレクション指示保持手段と、
上記トラックチェンジ判別手段によって判別される上記オーディオ信号のトラックの記録中に上記コレクション指示保持手段にコレクション指示が保持された場合には、上記トラックの記録終了後に上記管理情報を上記トラックの再生が可能に編集し、上記オーディオ信号のトラックの記録中に上記コレクション指示保持手段にコレクション指示が保持されなかった場合には、上記トラックの記録終了後に上記管理情報を上記トラックが上記データ記録領域から消去された状態に編集する制御手段と
を備える記録装置。
【請求項２】
上記コレクション指示保持手段は、複数のトラックの各々に対してコレクション指示を保持可能な第１項記載の記録装置。
【請求項３】
上記制御手段は、複数トラックの記録終了後に上記コレクション指示保持手段に保持された複数のトラックに各々対応するコレクション指示に基づいて複数のトラックに対する管理情報の編集を行う第２項記載の記録装置。
【請求項４】
上記記録媒体は、ディスク状記録媒体である第１項記載の記録装置。
【請求項５】
上記トラックチェンジ判別手段は、上記オーディオ信号の無音状態が所定時間以上検出された場合にトラックチェンジと判別する第１項記載の記録装置。
【発明の詳細な説明】
【０００１】
【産業上の利用分野】
本発明は所定の記録媒体に対して例えば音声信号などの所定の情報をトラックなどの所定の情報単位毎に区別した状態で記録することができる記録装置に関するものである。
【０００２】
【従来の技術】
磁気テープや光磁気ディスクを記録媒体として、ユーザーが音楽などの音声信号や映像信号の記録を行なうことのできる各種記録装置が普及している。例えば音声信号についていえば、コンパクトカセットテープレコーダやＤＡＴレコーダなどの磁気テープを用いるものや、ミニディスクレコーダとして知られているように光磁気ディスクを用いるものが存在する。
【０００３】
このような録音装置に対しては、例えばコンパクトディスクプレーヤを接続してコンパクトディスク（以下、ＣＤ）の音楽をダビングしたり、ラジオなどの放送のエアチェック録音が行なわれる。
また、例えばコンパクトディスクプレーヤ部とミニディスクレコーダ部を一体化した複合機器も存在し、ダビング動作が手軽に実行できるようにされている。
【０００４】
【発明が解決しようとする課題】
ところで、ダビング録音操作やエアチェック録音によりユーザーがミニディスクなどの記録媒体に自分の気に入った曲を集めて録音するような使用が行なわれることが多い。このように気に入った曲ばかりを集めたディスクやテープを作成することで、ユーザーの音楽等の楽しみ方を一層広げることができる。
しかしながら、このような作業はユーザーにとって甚だ面倒なものであるという問題がある。
【０００５】
例えばＣＤを聞いていて気に入った曲がかかった場合に、これをミニディスク（以下、ＭＤ）に録音したいと思った場合は、わざわざＣＤプレーヤ側で再生位置をその曲の先頭位置に戻し、またＭＤレコーダ側で録音の用意を行なって、タイミングをはかってＣＤプレーヤの再生を開始させ、かつＭＤレコーダの録音を開始させるという煩雑な作業が必要になる。
また、エアチェックに関してはでラジオ放送を録音できる限り録音しておき、ＭＤレコーダ側の編集機能、即ち記録されているデータについてのトラックの分割やトラックの消去等を行なえば、例えば放送された中で気に入った曲のみをＭＤに残しておくということも可能であるが、これも面倒な編集操作が必要なものである。
【０００６】
【課題を解決するための手段】
本発明はこのような問題点に鑑みてなされたもので、ユーザーが殆ど面倒な操作を行なうことなく、自動的にユーザーの好みの情報単位のみが記録媒体上に残されているという結果を得ることのできる記録装置を提供することを目的とする。
【０００７】
このため記録装置として、データが記録されるデータ記録領域と上記データ記録領域に記録されるデータを管理する管理情報が記録される管理情報記録領域とを備える記録媒体に受信された放送信号から抽出されるオーディオ信号を記録する記録装置において、上記オーディオ信号のトラックの切れ目を判別するトラックチェンジ判別手段と、上記オーディオ信号を上記記録媒体のデータ記録領域に記録する記録手段と、コレクション指示が入力される操作手段と、上記操作手段から入力されるコレクション指示が保持されるコレクション指示保持手段と、上記トラックチェンジ判別手段によって判別される上記オーディオ信号のトラックの記録中に上記コレクション指示保持手段にコレクション指示が保持された場合には、上記トラックの記録終了後に上記管理情報を上記トラックの再生が可能に編集し、上記オーディオ信号のトラックの記録中に上記コレクション指示保持手段にコレクション指示が保持されなかった場合には、上記トラックの記録終了後に上記管理情報を上記トラックが上記データ記録領域から消去された状態に編集する制御手段とを備えるようにする。
【０００８】
【作用】
上記構成の記録装置によれば、或る情報が入力される際に自動的にその情報を記録媒体に記録していき、その記録中などにユーザー操作などに応じて、その情報単位が記録データとして有効とするか無効とするかを設定する。そして有効とされた情報単位のみを記録媒体に残す（無効とされた情報単位は記録後に消去する）ことで、例えばユーザーの気に入った情報単位のみが記録媒体に残されている状態を得ることができる。
【０００９】
【実施例】
以下、本発明の記録装置としての各種実施例を説明する。各実施例は記録装置を、光磁気ディスク（ミニディスク）を用いるＭＤ記録装置として実現する例において説明する。説明は次の順序で行なう。
１．第１の実施例としてのＭＤ記録装置の構成
２．Ｕ−ＴＯＣセクター
３．実施例で採用できる第１の記録方式例
４．実施例で採用できる第２の記録方式例
５．第２の実施例としてのＭＤ記録装置の構成及び動作
６．第３の実施例としてのＭＤ記録装置の構成及び動作
７．各種変形例
【００１０】
１．第１の実施例としてのＭＤ記録装置の構成
図１は第１の実施例のＭＤ記録装置となる、光磁気ディスク（ミニディスク）を記録媒体として用いた記録再生装置の要部のブロック図を示している。
また、この実施例の場合は、ＭＤ記録装置だけでなくＣＤ再生装置としての部位も設けられているＭＤ−ＣＤ複合機器としている。
【００１１】
図１においてＭＤ（光磁気ディスク）１は音声データを記録できるメディアとして用いられ、記録／再生時にはスピンドルモータ２により回転駆動される。光学ヘッド３は光磁気ディスク１に対して記録／再生時にレーザ光を照射することで、記録／再生時のヘッドとしての動作を行なう。即ち記録時には記録トラックをキュリー温度まで加熱するための高レベルのレーザ出力をなし、また再生時には磁気カー効果により反射光からデータを検出するための比較的低レベルのレーザ出力をなす。
【００１２】
このため、光学ヘッド３はレーザ出力手段としてのレーザダイオードや、偏光ビームスプリッタや対物レンズ等からなる光学系、及び反射光を検出するためのディテクタが搭載されている。対物レンズ３ａは２軸機構４によってディスク半径方向及びディスクに接離する方向に変位可能に保持されており、また、光学ヘッド３全体はスレッド機構５によりディスク半径方向に移動可能とされている。
また、磁気ヘッド６ａはＭＤ１を挟んで光学ヘッド３と対向する位置に配置されている。この磁気ヘッド６ａは供給されたデータによって変調された磁界をＭＤに印加する動作を行なう。
磁気ヘッド６ａは光学ヘッド３とともにスレッド機構５によりディスク半径方向に移動可能とされている。
【００１３】
再生動作によって、光学ヘッド３によりＭＤ１から検出された情報はＲＦアンプ７に供給される。ＲＦアンプ７は供給された情報の演算処理により、再生ＲＦ信号、トラッキングエラー信号、フォーカスエラー信号、グルーブ情報（ＭＤ１にプリグルーブ（ウォブリンググルーブ）として記録されている絶対位置情報）等を抽出する。そして、抽出された再生ＲＦ信号はエンコーダ／デコーダ部８に供給される。また、トラッキングエラー信号、フォーカスエラー信号はサーボ回路９に供給され、グルーブ情報はアドレスデコーダ１０に供給されて復調される。グルーブ情報からデコードされたアドレス情報、及びデータとして記録されエンコーダ／デコーダ部８でデコードされたアドレス情報は、マイクロコンピュータによって構成されるシステムコントローラ１１に供給される。
【００１４】
サーボ回路９は供給されたトラッキングエラー信号、フォーカスエラー信号や、システムコントローラ１１からのトラックジャンプ指令、アクセス指令、回転速度検出情報等により各種サーボ駆動信号を発生させ、２軸機構４及びスレッド機構５を制御してフォーカス及びトラッキング制御をなし、またスピンドルモータ２を一定線速度（ＣＬＶ）に制御する。
【００１５】
再生ＲＦ信号はエンコーダ／デコーダ部８でＥＦＭ復調、ＣＩＲＣ等のデコード処理され、メモリコントローラ１２によって一旦バッファメモリ１３に書き込まれる。なお、光学ヘッド３によるＭＤ１からのデータの読み取り及び光学ヘッド３からバッファメモリ１３までの再生データの転送は１．４１Ｍｂｉｔ／ｓｅｃで行なわれる。
【００１６】
バッファメモリ１３に書き込まれたデータは、再生データの転送が０．３Ｍｂｉｔ／ｓｅｃ  となるタイミングで読み出され、エンコーダ／デコーダ部１４に供給される。そして、変形ＤＣＴ処理による音声圧縮に対するデコード処理等の再生信号処理を施され、Ｄ／Ａ変換器１５によってアナログ信号とされる。Ｄ／Ａ変換器１５からのアナログ音声信号は出力スイッチ５０のＴＭＤ端子に供給される。
【００１７】
ＭＤ１の再生動作時には、システムコントローラ１１は出力スイッチ５０をＴＭＤ端子に接続制御しており、これによってＭＤ１からの再生音声信号は音量調節回路５１、増幅回路５２を介してスピーカ５３に供給され、音声出力されることになる。
【００１８】
ＭＤ１に対してアナログ伝送による記録動作が実行される際には、例えばマイクロホン、ＣＤプレーヤ、テーププレーヤ、或は他のミニディスクプレーヤなどの外部機器からの音声信号が端子１７に供給されることになる。
端子１７に供給された記録信号（アナログオーディオ信号）は、Ａ／Ｄ変換器１８によって、４４．１ＫＨｚ  サンプリング、１６ビット量子化のデジタルデータとされた後、エンコーダ／デコーダ部１４に供給され、音声圧縮エンコード処理を施される。即ち変形ＤＣＴ処理により約１／５のデータ量に圧縮される。
【００１９】
エンコーダ／デコーダ部１４において圧縮された記録データはメモリコントローラ１２によって一旦バッファメモリ１３に書き込まれ、また所定タイミングで読み出されてエンコーダ／デコーダ部８に送られる。
そしてエンコーダ／デコーダ部８でＣＩＲＣエンコード、ＥＦＭ変調等のエンコード処理された後、磁気ヘッド駆動回路６に供給される。
【００２０】
磁気ヘッド駆動回路６は、エンコード処理された記録データに応じて、磁気ヘッド６ａに磁気ヘッド駆動信号を供給する。つまり、ＭＤ１に対して磁気ヘッド６によるＮ又はＳの磁界印加を実行させる。また、このときシステムコントローラ１１は光学ヘッド３に対して、記録レベルのレーザ光を出力するように制御信号を供給する。
【００２１】
ＣＤ（コンパクトディスク）３０は、ＣＤ再生動作時においてスピンドルモータ３１によって一定線速度（ＣＬＶ）で回転駆動される。そして光学ヘッド３２によってＣＤ３０にピット形態で記録されているデータを読み出され、ＲＦアンプ３５に供給される。光学ヘッド３２において対物レンズ３２ａは２軸機構３３によって保持され、トラッキング及びフォーカス方向に変位可能とされる。
また光学ヘッド３２はスレッド機構３４によってディスク半径方向に移動可能とされる。
【００２２】
ＲＦアンプ３５では再生ＲＦ信号のほか、フォーカスエラー信号、トラッキングエラー信号を生成し、これらのエラー信号はサーボ回路３６に供給される。サーボ回路３６はフォーカスエラー信号、トラッキングエラー信号から、フォーカス駆動信号、トラッキング駆動信号、スレッド駆動信号、スピンドル駆動信号の各種駆動信号を生成し、２軸機構３３、スレッド機構３４、及びスピンドルモータ３１の動作を制御する。
【００２３】
再生ＲＦ信号はデコーダ３７に供給される。デコーダ３７ではＥＦＭ復調，ＣＩＲＣデコード等を行なってＣＤ３０から読み取られた情報を１６ビット量子化、４４．１ＫＨｚ  サンプリングのデジタル音声データ形態にデコードする。
またデコーダ３７ではＴＯＣやサブコード等の制御データＳＣも抽出されるが、それらはシステムコントローラ１１に供給され、各種制御に用いられる。
【００２４】
デコーダ３７から出力されるデジタル音声データはＤ／Ａ変換器３８でアナログ音声信号とされ、出力スイッチ５０のＴＣＤ端子に供給される。
ＣＤ再生動作時にはシステムコントローラ１１によって出力スイッチ５０はＴＣＤ端子が選択されているため、ＣＤ３０からの再生音声信号は音量調節回路５１、増幅回路５２を介してスピーカ５３に供給され音声出力されることになる。
【００２５】
またデコーダ３７の出力はエンコーダ／デコーダ部１４にも供給されるようになされている。このため、ＣＤ３０の再生とＭＤ１の録音を同時に実行することによって、ＣＤ３０からの再生音声データをＭＤ１にダビング記録することができる。
【００２６】
操作部２０は、ユーザーがＣＤ再生やＭＤ録音／再生などのための各種操作を行なうために、録音キー、再生キー、停止キー、ＡＭＳキー、サーチキー等が設けられている。
また本実施例では、後述するコレクションモード動作のための操作キーとしてコレクションキーが設けられている。
システムコントローラ１１は、操作部１９からの操作情報と、内部ＲＯＭに記憶された動作プログラムに応じて各部の制御動作を実行し、ＭＤ再生動作、ＭＤ録音動作、ＣＤ再生動作等を実行させる。
また表示部２０ではＭＤ１もしくはＣＤ３０の動作時に、総演奏時間、再生や録音時の進行時間などの時間情報や、トラックナンバ、動作状態、動作モードなどの各種の表示がシステムコントローラ１１の制御に基づいて行なわれる。
【００２７】
２．Ｕ−ＴＯＣセクター
ところで、ＭＤ１に対して記録／再生動作を行なう際には、ＭＤ１に記録されている管理情報、即ちＰ−ＴＯＣ（プリマスタードＴＯＣ）、Ｕ−ＴＯＣ（ユーザーＴＯＣ）を読み出す必要がある。システムコントローラ１１はこれらの管理情報に応じてＭＤ１上の記録すべきエリアのアドレスや、再生すべきエリアのアドレスを判別することとなる。この管理情報はバッファメモリ１３に保持される。このためバッファメモリ１３は、ＭＤ１の記録時／再生時に記録データ／再生データを蓄積するためのバッファエリアと、Ｐ−ＴＯＣ，Ｕ−ＴＯＣを保持するエリアが分割設定されている。
そして、システムコントローラ１１はこれらの管理情報を、ＭＤ１が装填された際に管理情報の記録されたディスクの最内周側の再生動作を実行させることによって読み出し、バッファメモリ１３に記憶しておき、以後そのＭＤ１に対する記録／再生動作の際に参照できるようにしている。
【００２８】
また、Ｕ−ＴＯＣはデータの記録や消去に応じて編集されて書き換えられるものであるが、システムコントローラ１１はＭＤ１に対する記録／消去動作のたびにこの編集処理をバッファメモリ１３に記憶されたＵ−ＴＯＣ情報に対して行ない、その書換動作に応じて所定のタイミングでＭＤ１上でのＵ−ＴＯＣエリアについても書き換えるようにしている。
【００２９】
ここで、ＭＤ１においてトラックの記録／再生動作などの管理を行なう管理情報として、Ｕ−ＴＯＣセクターについて説明する。
なおＴＯＣ情報としてはＵ−ＴＯＣのほかに、Ｐ−ＴＯＣ（プリマスタードＴＯＣ）情報が設けられている。このＰ−ＴＯＣはＭＤ１の最内周側のピットエリアに形成されるもので、読出専用の情報である。そして、Ｐ−ＴＯＣによってディスクの記録可能エリア（レコーダブルユーザーエリア）や、リードアウトエリア、Ｕ−ＴＯＣエリアなどの位置の管理等が行なわれる。なお、ミニディスクシステムでは、全てのデータがピット形態で記録されている再生専用の光ディスクも使用できるが、再生専用ディスクの場合は、Ｐ−ＴＯＣによってＲＯＭ化されて記録されている楽曲の管理も行なうことができるようにされ、Ｕ−ＴＯＣは形成されない。
Ｐ−ＴＯＣについては詳細な説明を省略し、ここでは記録可能な光磁気ディスクに設けられるＵ−ＴＯＣについて説明する。
【００３０】
図２はＵ−ＴＯＣセクター０のフォーマットを示すものである。
なお、Ｕ−ＴＯＣセクターとしてはセクター０〜セクター７まで設けることができるが、セクター１，セクター４は文字情報、セクター２は録音日時を記録するエリアとされる。ここでは、ＭＤ１の記録／再生動作に必ず必要となるＵ−ＴＯＣセクター０についてのみ説明を行なうこととする。
Ｕ−ＴＯＣセクター０は、主にユーザーが録音を行なった楽曲や新たに楽曲が録音可能なフリーエリアについての管理情報が記録されているデータ領域とされる。
【００３１】
例えばＭＤ１に或る楽曲の録音を行なおうとする際には、システムコントローラ１１は、Ｕ−ＴＯＣセクター０からディスク上のフリーエリアを探し出し、ここに音声データを記録していくことになる。また、再生時には再生すべき楽曲が記録されているエリアをＵ−ＴＯＣセクター０から判別し、そのエリアにアクセスして再生動作を行なう。
【００３２】
Ｕ−ＴＯＣセクター０のデータ領域（４バイト×５８８  の２３５２バイト）は、先頭位置にオール０又はオール１の１バイトデータが並んで形成される同期パターンが記録される。
続いてクラスタアドレス（Ｃｌｕｓｔｅｒ  Ｈ）  （Ｃｌｕｓｔｅｒ  Ｌ）  及びセクターアドレス（Ｓｅｃｔｏｒ）となるアドレスや、モード情報（ＭＯＤＥ）が４バイト付加され、以上でヘッダとされる。
セクターとは、２３５２バイトで形成され、さらに３６セクターが１クラスタとなる。アドレスについては、このＵ−ＴＯＣセクター０に限らず、Ｐ−ＴＯＣセクターや、実際に音声データが記録されるセクターでも、そのセクター単位に記録されている。
クラスタアドレスは、上位アドレス（Ｃｌｕｓｔｅｒ  Ｈ）  と下位アドレス（Ｃｌｕｓｔｅｒ  Ｌ）  の２バイトで記され、セクターアドレス（Ｓｅｃｔｏｒ）は１バイトで記される。
【００３３】
続いて所定バイト位置に、メーカーコード、モデルコード、最初のトラックのトラックナンバ（Ｆｉｒｓｔ  ＴＮＯ）、最後のトラックのトラックナンバ（Ｌａｓｔ  ＴＮＯ）、セクター使用状況（Ｕｓｅｄ  ｓｅｃｔｏｒｓ）、ディスクシリアルナンバ、ディスクＩＤ等のデータが記録される。
【００３４】
さらに、ユーザーが録音を行なって記録されているトラック（楽曲等）の領域やフリーエリア等を後述する管理テーブル部に対応させることによって識別するため、対応テーブル指示データ部として各種のテーブルポインタ（Ｐ−ＤＦＡ，Ｐ−ＥＭＰＴＹ  ，Ｐ−ＦＲＡ  ，Ｐ−ＴＮＯ１〜Ｐ−ＴＮＯ２５５）  が記録される領域が用意されている。
【００３５】
そしてテーブルポインタ（Ｐ−ＤＦＡ〜Ｐ−ＴＮＯ２５５）  に対応させることになる管理テーブル部として（０１ｈ）  〜（ＦＦｈ）  までの２５５個のパーツテーブルが設けられ、それぞれのパーツテーブルには、或るパーツについて起点となるスタートアドレス、終端となるエンドアドレス、そのパーツのモード情報（トラックモード）が記録されている。さらに各パーツテーブルで示されるパーツが他のパーツへ続いて連結される場合があるため、その連結されるパーツのスタートアドレス及びエンドアドレスが記録されているパーツテーブルを示すリンク情報が記録できるようにされている。
なお本明細書において『ｈ』を付した数値はいわゆる１６進表記のものである。また、パーツとは１つのトラック内で時間的に連続したデータが物理的に連続して記録されているトラック部分のことをいう。
【００３６】
ミニディスクシステムでは、１つの楽曲のデータを物理的に不連続に、即ち複数のパーツにわたって記録されていてもパーツ間でアクセスしながら再生していくことにより再生動作に支障はないため、ユーザーが録音する楽曲等については、録音可能エリアの効率使用等の目的から、複数パーツにわけて記録する場合もある。
【００３７】
そのため、リンク情報が設けられ、例えば各パーツテーブルに与えられたナンバ（０１ｈ）  〜（ＦＦｈ）  によって、連結すべきパーツテーブルを指定することによってパーツテーブルが連結できるようになされている。
つまりＵ−ＴＯＣセクター０における管理テーブル部においては、１つのパーツテーブルは１つのパーツを表現しており、例えば３つのパーツが連結されて構成される楽曲についてはリンク情報によって連結される３つのパーツテーブルによって、そのパーツ位置の管理はなされる。
なお、実際にはリンク情報は所定の演算処理によりＵ−ＴＯＣセクター０内のバイトポジションとされる数値で示される。即ち、３０４＋（リンク情報）×８（バイト目）としてパーツテーブルを指定する。
【００３８】
Ｕ−ＴＯＣセクター０の管理テーブル部における（０１ｈ）  〜（ＦＦｈ）  までの各パーツテーブルは、対応テーブル指示データ部におけるテーブルポインタ（Ｐ−ＤＦＡ，Ｐ−ＥＭＰＴＹ  ，Ｐ−ＦＲＡ  ，Ｐ−ＴＮＯ１〜Ｐ−ＴＮＯ２５５）  によって、以下のようにそのパーツの内容が示される。
【００３９】
テーブルポインタＰ−ＤＦＡ  はＭＤ１上の欠陥領域に付いて示しており、傷などによる欠陥領域となるトラック部分（＝パーツ）が示された１つのパーツテーブル又は複数のパーツテーブル内の先頭のパーツテーブルを指定している。つまり、欠陥パーツが存在する場合はテーブルポインタＰ−ＤＦＡ  において（０１ｈ）  〜（ＦＦｈ）  のいづれかが記録されており、それに相当するパーツテーブルには、欠陥パーツがスタート及びエンドアドレスによって示されている。また、他にも欠陥パーツが存在する場合は、そのパーツテーブルにおけるリンク情報として他のパーツテーブルが指定され、そのパーツテーブルにも欠陥パーツが示されている。そして、さらに他の欠陥パーツがない場合はリンク情報は例えば『（００ｈ）  』とされ、以降リンクなしとされる。
【００４０】
テーブルポインタＰ−ＥＭＰＴＹ  は管理テーブル部における１又は複数の未使用のパーツテーブルの先頭のパーツテーブルを示すものであり、未使用のパーツテーブルが存在する場合は、テーブルポインタＰ−ＥＭＰＴＹ  として、（０１ｈ）  〜（ＦＦｈ）  のうちのいづれかが記録される。未使用のパーツテーブルが複数存在する場合は、テーブルポインタＰ−ＥＭＰＴＹ  によって指定されたパーツテーブルからリンク情報によって順次パーツテーブルが指定されていき、全ての未使用のパーツテーブルが管理テーブル部上で連結される。
【００４１】
テーブルポインタＰ−ＦＲＡ  はＭＤ１上のデータの書込可能なフリーエリア（消去領域を含む）について示しており、フリーエリアとなるトラック部分（＝パーツ）が示された１又は複数のパーツテーブル内の先頭のパーツテーブルを指定している。つまり、フリーエリアが存在する場合はテーブルポインタＰ−ＦＲＡ  において（０１ｈ）  〜（ＦＦｈ）  のいづれかが記録されており、それに相当するパーツテーブルには、フリーエリアであるパーツがスタート及びエンドアドレスによって示されている。また、このようなパーツが複数個有り、つまりパーツテーブルが複数個有る場合はリンク情報により、リンク情報が『（００ｈ）  』となるパーツテーブルまで順次指定されている。
【００４２】
図３にパーツテーブルにより、フリーエリアとなるパーツの管理状態を模式的に示す。これはパーツ（０３ｈ）（１８ｈ）（１Ｆｈ）（２Ｂｈ）（Ｅ３ｈ）  がフリーエリアとされている時に、この状態が対応テーブル指示データＰ−ＦＲＡ  に引き続きパーツテーブル（０３ｈ）（１８ｈ）（１Ｆｈ）（２Ｂｈ）（Ｅ３ｈ）  のリンクによって表現されている状態を示している。なお上記した欠陥領域や未使用パーツテーブルの管理形態もこれと同様となる。
【００４３】ところで、全く楽曲等の音声データの記録がなされておらず欠陥もない光磁気ディスクであれば、テーブルポインタＰ−ＦＲＡ  によってパーツテーブル（０１ｈ）  が指定され、これによってディスクのレコーダブルユーザーエリアの全体がフリーエリアであることが示される。そして、この場合残る（０２ｈ）  〜（ＦＦｈ）  のパーツテーブルは使用されていないことになるため、上記したテーブルポインタＰ−ＥＭＰＴＹ  によってパーツテーブル（０２ｈ）  が指定され、また、パーツテーブル（０２ｈ）  のリンク情報としてパーツテーブル（０３ｈ）  が指定され・・・・・・、というようにパーツテーブル（ＦＦｈ）  まで連結される。この場合パーツテーブル（ＦＦｈ）  のリンク情報は以降連結なしを示す『（００ｈ）  』とされる。
なお、このときパーツテーブル（０１ｈ）  については、スタートアドレスとしてはレコーダブルユーザーエリアのスタートアドレスが記録され、またエンドアドレスとしてはリードアウトスタートアドレスの直前のアドレスが記録されることになる。
【００４４】
テーブルポインタＰ−ＴＮＯ１〜Ｐ−ＴＮＯ２５５は、ＭＤ１にユーザーが記録を行なった楽曲などのトラックについて示しており、例えばテーブルポインタＰ−ＴＮＯ１では第１トラックのデータが記録された１又は複数のパーツのうちの時間的に先頭となるパーツが示されたパーツテーブルを指定している。
例えば第１トラックとされた楽曲がディスク上でトラックが分断されずに、つまり１つのパーツで記録されている場合は、その第１トラックの記録領域はテーブルポインタＰ−ＴＮＯ１で示されるパーツテーブルにおけるスタート及びエンドアドレスとして記録されている。
【００４５】
また、例えば第２トラックとされた楽曲がディスク上で複数のパーツに離散的に記録されている場合は、その第２トラックの記録位置を示すため各パーツが時間的な順序に従って指定される。つまり、テーブルポインタＰ−ＴＮＯ２に指定されたパーツテーブルから、さらにリンク情報によって他のパーツテーブルが順次時間的な順序に従って指定されて、リンク情報が『（００ｈ）  』となるパーツテーブルまで連結される（上記、図３と同様の形態）。
このように例えば２曲目を構成するデータが記録された全パーツが順次指定されて記録されていることにより、このＵ−ＴＯＣセクター０のデータを用いて、２曲目の再生時や、その２曲目の領域へのオーバライトを行なう際に、光学ヘッド３及び磁気ヘッド６をアクセスさせ離散的なパーツから連続的な音楽情報を取り出したり、記録エリアを効率使用した記録が可能になる。
【００４６】
以上のようにＵ−ＴＯＣセクター０が構成されているため、ＭＤ１での記録／再生動作におけるアドレス管理が可能になるとともに、さらに、このＵ−ＴＯＣセクター０を更新するのみで、トラックの分割、トラックの連結、トラック消去、トラックナンバの入換え、という処理が可能になることが理解される。
【００４７】
３．実施例で採用できる第１の記録方式例
図１の実施例において実現できる本発明の要旨となる記録動作例を以下説明する。なお、具体的な動作としては各種考えられるが、本明細書では２つの記録方式をあげ、まずここで第１の記録方式について説明することとする。
【００４８】
この実施例で可能となる記録動作は、ＣＤ３０を再生している際にシステムコントローラ１１の制御により、ＭＤ１にＣＤ３０からの再生音声を自動的に録音していくようにするものである。
ユーザーの認識としては、単にＣＤ３０を再生させているのみであり、ＭＤ１の記録動作については特に意識しないものとなる。
そして、ユーザーはＣＤ３０を聞いていて、気に入った曲がかかった場合に、コレクションキーを押すという操作を行なっておればよく、各種のＣＤ３０を再生させるなどの時間を経た或る時点で、最終的にＭＤ１にはユーザーが気に入った曲が集められて録音されている状態にするものである。
この動作モードを説明上、仮にコレクションモードということとする。
【００４９】
例えば或る１枚のＣＤを１曲目（トラック＃１）から６曲目（トラック＃６）まで再生させた場合のコレクションモードの動作を図４に例をあげて示す。
最初に、装填されているＭＤ１は図４（ａ）のように楽曲（トラック）が何も記録されていないバージンディスクであったとする。
ユーザーがＣＤ再生操作を行ない、ＣＤ３０からトラック＃１としての再生音声データが得られると、これは上述したようにスピーカ５３から出力されるとともに、エンコーダ／デコーダ部１４にも供給される。
【００５０】
コレクションモードであるときは、システムコントローラ１１はＣＤ再生に伴って自動的にＭＤ１に対する記録動作を実行させる。
このため、ＣＤ３０においてトラック＃１の再生が終了した時点では、ＭＤ１では図４（ｂ）のように第１トラックＴＫ１としての音声データが記録されていることになる。
【００５１】
なお、トラックの記録中において、システムコントローラ１１は操作部１９でのコレクションキーの操作があったか否かを監視しており、操作があった場合はその記録中のトラックに対応するコレクションフラグを『オン』とする処理を行なうようにしている。
今、ＣＤ３０からのトラック＃１を聞いている期間にユーザーがコレクションキーを操作しなかったとすると、図４（ｂ）のようにＭＤ１上での第１トラックＴＫ１に対応してシステムコントローラ１１が内部レジスタなどに設定するコレクションフラグは『Ｌ』（オフ）のままとなる。
【００５２】
ＣＤ３０の再生がトラック＃２に進み、トラック＃２の再生が終了した時点ではＭＤ１上では図４（ｃ）のように第２トラックＴＫ２も録音された状態となる。そしてこのトラック＃２の再生中にユーザーがコレクションキーを操作したとすると、システムコントローラ１１は第２トラックＴＫ２に対応してコレクションフラグを『Ｈ』（オン）とすることになる。
【００５３】
以下、同様にＣＤ３０でトラック＃３〜＃６が再生されていくに従ってＭＤ１上にも第３トラックＴＫ３〜ＴＫ６が記録されていることになるが、各トラックの再生中にユーザーがコレクションキーを押したか否かにより、録音した各トラックに対応してコレクションフラグがオン又はオフとされる。
例えばＣＤ３０でトラック＃６の再生が終了した時点で再生動作が終了したとすると、そのときＭＤ１上では図４（ｄ）のように第６トラックＴＫ６までが記録された状態となっている。
【００５４】
ここでシステムコントローラ１１は各トラックに対応するコレクションフラグを確認し、コレクションフラグがオンのトラックのみを残して、他は消去するようにする。
つまり、Ｕ−ＴＯＣデータ上でコレクションフラグがオンのトラックのみを楽曲として管理し、他は消去された状態となるように更新処理を行なう。
例えばユーザーがＣＤ３０のトラック＃２，＃５の再生中にコレクションキーを押したとすると、ＭＤ１の状態は図４（ｅ）のようにトラック＃２，＃５としての再生データが、ＭＤ１上で第１トラックＴＫ１，第２トラックＴＫ２として記録されている状態にされる。
【００５５】
つまり、ユーザーはＣＤ３０を再生させている間に、気に入った曲があったらコレクションキーを押せば、その曲がＭＤ１上に録音された状態で残されるものとなる。
この図４（ｅ）の状態のＭＤ１をそのまま装填しておき、コレクションモードで他のＣＤ３０の再生を行なえば、同様にフリーエリアに録音が実行され、コレクションキーを押したトラックのみが残されることになる。
従って、例えば日々の生活のなかでＣＤ３０を再生させる際に、気に入った曲があったらコレクションキーを押すという操作を行なっていれば、例えば何日かたった状態では、自分の気に入った曲だけが録音されたＭＤ１が作成されている状態となる。
【００５６】
このようなコレクションモードの動作を実現するためのシステムコントローラ１１の処理を図５及び図６に示す。
図５はまずコレクションモードとするための操作に関する処理、及びコレクションモードから通常モードに戻るための操作に関する処理を示している。
【００５７】
ユーザーは、ＭＤ１に関する録音を行なっていない期間（ＣＤ１の再生を行なっていない期間としてもよい）において、コレクションキーを押す（Ｆ１０１）。
するとシステムコントローラ１１は、現在コレクションモードでなければコレクションモードをオンとする  （Ｆ１０２→Ｆ１０３）  。
一方、現在コレクションモードである場合は、コレクションモードをオフとする  （Ｆ１０２→Ｆ１０４）  。
このようにユーザーはコレクションキーを操作することで、コレクションモードの設定及び解除を行なうことができる。
【００５８】
なおモード状態をユーザーが認識できるように、コレクションモードに対応するＬＥＤ（発光ダイオード）などを設け、コレクションモードとされている期間はＬＥＤを点灯させるなどの動作を実行させると好適である。
また、この例ではコレクションキーを用いてモード設定するようにしたが、もちろん他に独立したモード切換操作部を設けるようにしてもよい。
【００５９】
コレクションモードとされた場合の処理は図６に示される。
コレクションモードであるときは、ＣＤ３０の再生動作が行なわれることに応じて、システムコントローラ１１は処理をステップＦ２０１からＦ２０２に進める。まず、その時点でのＵ−ＴＯＣセクター０における最後のトラックナンバ（Ｌａｓｔ  ＴＮＯ）のデータに対して『１』を加えた値を変数ｎとして設定する。即ち変数ｎとは今回のＭＤ１に対する録音するトラックの最初のトラックナンバとなり、装填されているＭＤ１がバージンディスクであれば、ステップＦ２０２で変数ｎ＝１とされる。また、その時点でＭＤ１が図４（ｅ）のような記録状態（２曲録音済）になっているものであったら、ステップＦ２０２で変数ｎ＝３とされる。
【００６０】
続いてシステムコントローラ１１は、ステップＦ２０３ではＣＤ３０から再生されてくる音声データを、第ｎトラックとしてＭＤ１に記録していく処理を行なう。
この第ｎトラックの録音中には、システムコントローラ１１はＣＤ３０側のトラックチェンジがあったか、またコレクションキーが押されたか、を監視している（Ｆ２０５，Ｆ２０６）  。
ＣＤ３０側のトラックチェンジについては、システムコントローラ１１はＣＤ３０から得られるサブコード情報から検出できる。
【００６１】
第ｎトラックの録音中において、コレクションキーが押された場合は、その第ｎトラックに対応して、コレクションフラグをオンとする（Ｆ２０６，Ｆ２０７）
また、ＣＤ３０側のトラックチェンジがあった場合、つまりＣＤ３０からの再生が次の曲に移った場合は、システムコントローラ１１は変数ｎをインクリメントし（Ｆ２０５，Ｆ２０８）  、ステップＦ２０３に戻って、ＣＤ３０からの再生音声データを第ｎトラック、即ち次のトラックとしてＭＤ１へ記録していくように制御することになる。
ここまで説明した処理により、例えば図４（ａ）〜（ｄ）までの動作が実行されることになる。
【００６２】
ＣＤ３０に対する再生が終了された場合、処理はステップＦ２０４からＦ２０９に進み、Ｕ−ＴＯＣの更新処理を行なうことになる。
即ち、今回録音したトラックについて、コレクションフラグがオフとされているトラックを消去し、また残ったトラックのトラックナンバを順番に詰めることによってトラックナンバが整理されるようにする。
これによってＭＤ１上の記録状態は、例えば図４（ｄ）の状態から図４（ｅ）のようになり、ユーザーが気に入った曲のみが録音されている状態となる。
なお、Ｕ−ＴＯＣの更新はバッファメモリ１３内において行ない、その後電源オフなどの所定のタイミングにおいてＭＤ１上で実際にＵ−ＴＯＣデータを書き換えることになる。
【００６３】
４．実施例で採用できる第２の記録方式例
次に第２の記録方式例を図７で説明する。
この場合も、ＣＤ３０を再生させている間にコレクションキーを押せば、結果的にそのコレクションキーが押された曲がＭＤ１上に記録トラックとして残されるものである。
【００６４】
例えば或る１枚のＣＤを１曲目（トラック＃１）から４曲目（トラック＃４）まで再生させた場合のコレクションモードの動作を図７に例をあげて示す。
最初に、装填されているＭＤ１は図７（ａ）のように楽曲（トラック）が何も記録されていないバージンディスクであったとする。
ユーザーがＣＤ再生操作を行ない、ＣＤ３０からトラック＃１としての再生音声データが得られると、このときコレクションモードであれば、上記第１の動作例と同様にシステムコントローラ１１はＣＤ再生に伴って自動的にＭＤ１に対する記録動作を実行させる。
【００６５】
このため、ＣＤ３０においてトラック＃１の再生が終了した時点では、ＭＤ１では図７（ｂ）のように第１トラックＴＫ１としての音声データが記録されていることになる。
また、トラックの記録中において、システムコントローラ１１は操作部１９でのコレクションキーの操作があったか否かを監視しており、操作があった場合はその記録中のトラックに対応するコレクションフラグを『オン』とする処理を行なうようにしている。
今、ＣＤ３０からのトラック＃１を聞いている期間にユーザーがコレクションキーを操作しなかったとすると、図４（ｂ）のようにＭＤ１上での第１トラックＴＫ１に対応してシステムコントローラ１１が内部レジスタなどに設定するコレクションフラグは『Ｌ』（オフ）のままとなる。
【００６６】
ここで、ＣＤ３０の再生がトラック＃２に進む時点で、システムコントローラ１１は第１トラックＴＫ１についてコレクションフラグを確認する。そして図７（ｂ）のようにコレクションフラグがオフであれば、この時点で第１トラックＴＫ１を消去してしまい、第１トラックＴＫ１を記録した領域をＵ−ＴＯＣ上で再びフリーエリアの先頭に組み込まれるようにする。
【００６７】
続いてＣＤ３０からはトラック＃２が再生されるが、このトラック＃２についてもＭＤ１上のフリーエリアに録音していくため、このトラック＃２は、実際にはトラック＃１が記録された領域に上書きされていくことになる。
そしてトラック＃２の再生が終了した時点ではＭＤ１上では図７（ｃ）のように、トラック＃２が第１トラックＴＫ１として録音された状態となる。そしてこのトラック＃２の再生中にユーザーがコレクションキーを操作したとすると、システムコントローラ１１は第１トラックＴＫ１に対応してコレクションフラグを『Ｈ』（オン）とすることになる。
【００６８】
続いてＣＤ３０からはトラック＃３が再生されるが、この時点でＭＤ１上で第１トラックＴＫ１はコレクションフラグがオンとされているため、トラック＃３の録音は第１トラックＴＫ１に続く領域に第２トラックＴＫ２として行なわれることになる。このトラック＃３の再生中にもコレクションキーが押されたとすると、第２トラックＴＫ２についてコレクションフラグがオンとなり、図７（ｄ）のようにこの第２トラックＴＫ２は残され、第２トラックＴＫ２に続く位置から、ＣＤ３０からの次のトラック＃４が第３トラックＴＫ３として記録されていく。
【００６９】
そして、トラック＃４の再生中にコレクションキーが押されなかったら、トラック＃４の終了時点で図７（ｅ）のように第３トラックＴＫ３のコレクションフラグはオフである。この時点でＣＤ３０の再生が終了したとすると、システムコントローラ１１は第３トラックＴＫ３を消去し、第３トラックＴＫ３を記録した領域をＵ−ＴＯＣ上でフリーエリアの先頭に組み込まれるようにして動作を終える。
【００７０】
つまり、この例でもユーザーはＣＤ３０を再生させている間に、気に入った曲があったらコレクションキーを押せば、その曲がＭＤ１上に録音された状態で残されるものとなる。
【００７１】
このようなコレクションモードの動作を実現するためのシステムコントローラ１１の処理を図８に示す。なお、コレクションモードとするための操作に関する処理、及びコレクションモードから通常モードに戻るための操作に関する処理は図５と同様とする。
【００７２】
コレクションモードであるときは、ＣＤ３０の再生動作が行なわれることに応じて、システムコントローラ１１は処理を図８のステップＦ３０１からＦ３０２に進め、上記図６の場合と同様に録音するトラックとしての最初のトラックナンバを、その時点でのＵ−ＴＯＣセクター０における最後のトラックナンバ（Ｌａｓｔ  ＴＮＯ）のデータに対して『１』を加えた値を変数ｎとして設定する。
【００７３】
続いてシステムコントローラ１１は、ステップＦ３０３ではＣＤ３０から再生されてくる音声データを、第ｎトラックとしてＭＤ１に記録していく処理を行なう。
この第ｎトラックの録音中には、システムコントローラ１１はＣＤ３０側のトラックチェンジがあったか、またコレクションキーが押されたか、を監視している（Ｆ３０４，Ｆ３０５）  。
【００７４】
そして第ｎトラックの録音中において、コレクションキーが押された場合は、その第ｎトラックに対応して、コレクションフラグをオンとする（Ｆ３０５，Ｆ３０６）
また、ＣＤ３０側のトラックチェンジがあった場合、つまりＣＤ３０からの再生が次の曲に移った場合は、システムコントローラ１１の処理はステップＦ３０７に進み、その時点での第ｎトラック、つまり今録音が行なわれたトラックについてのコレクションフラグを確認する。
そしてコレクションフラグがオンであれば、そのトラックを第ｎトラックとしてＵ−ＴＯＣ上で管理させたうえで、変数ｎをインクリメントし（Ｆ３０８，Ｆ３０９）  、ステップＦ３０３に戻って、続いて入力されるＣＤ３０からの再生音声データを第ｎトラック、即ち次のトラックとしてＭＤ１のフリーエリアへ記録していくように制御することになる。
【００７５】
一方、ステップＦ３０７でコレクションフラグがオフであると判別した場合は、第ｎトラック、つまり今録音が行なわれたトラックについてＵ−ＴＯＣ上で消去されたものとし、その記録を行なって領域をフリーエリアの先頭に組み込むようにする（Ｆ３１０）。即ち録音が行なわれなかった状態とする。そして変数ｎについてはインクリメントせずに、ステップＦ３０３に戻って、続いて入力されるＣＤ３０からの再生音声データを第ｎトラック、現在ＭＤ１上で記録されている最後のトラックの次のトラックとして、ＭＤ１のフリーエリアへ記録していくように制御することになる。
【００７６】
ここまで説明した処理により、例えば図７（ａ）〜（ｆ）までの動作が実行されることになる。
そしてＣＤ３０に対する再生が終了された場合、処理はステップＦ３１１から終了する。なお、このフローチャートでは、終了時点でステップＦ３０４でトラックチェンジがあったものとみなし、ステップＦ３０７〜Ｆ３１０の処理を実行した後に、ステップＦ３１１からループを抜けるようにしている。
【００７７】
以上の処理により、図７（ｆ）のようにＭＤ１にはユーザーが気に入った曲のみが録音されている状態となる。
なお、終了後において電源オフなどの所定のタイミングにおいてＭＤ１上で実際にＵ−ＴＯＣデータを書き換えることになる。
【００７８】
５．第２の実施例としてのＭＤ記録装置の構成及び動作
第２の実施例を図９に示す。この実施例は、ミニディスク記録装置としてのみの部位を有する機器としている。なお、図９のブロック図において図１と同一機能部分は同一符号を付し、説明を省略する。
【００７９】
図９において図１のＭＤ記録再生部位と異なるブロックとしては、端子２３、デジタルオーディオインターフェース部２１、オーディオレベル検出部２２が設けられ、またエンコーダ／デコーダ部１４内にレベルメータ部１４ａが設けられる点である。
【００８０】
端子２３は外部機器とのデジタルオーディオインターフェースとしての端子である。端子２３から入力されたデータはデジタルオーディオインターフェース部２１に供給される。
デジタルオーディオインターフェース接続された場合は、外部のＣＤプレーヤやミニディスクプレーヤにおいて再生された音声情報がデジタルデータのまま供給され、また同時に、所定のフォーマットで再生側のサブコード情報などを含む制御データＳＳが伝送されてくる。
【００８１】
デジタルオーディオインターフェース部２１では、供給されたデータからオーディオデータ（４４．１ＫＨｚ  サンプリング、１６ビット量子化）を抽出して、それを記録データとしてエンコーダ／デコーダ部１４に供給する。
また、サブコード情報等の制御データＳＳも抽出し、これをシステムコントローラ１１に供給する。例えばＣＤプレーヤ等から伝送されてくる制御データＳＳとしては、Ｕビットデータ、Ｃビットデータ、Ｖビットデータ、Ｐビットデータが存在する。
【００８２】
ＵビットデータとしてはいわゆるＱ，Ｒ，Ｓ，Ｔ，Ｕ，Ｖ，Ｗの各データとして知られているサブコードデータが含まれ、また、Ｃビットデータは記録媒体の判別を行なうカテゴリーデータ、サンプリング周波数データ、クロックデータ、光学系データ等が含まれている。また、Ｖビットデータにはエラーフラグ等が含まれている。さらにＰビットデータはパリティビットとされている。
システムコントローラ１１はこれらの制御データＳＳのうちの所要のデータを用いて各種記録動作の制御を行なうことになる。
【００８３】
デジタルインターフェースによりオーディオデータが供給される場合は、オーディオレベル検出部２２によって伝送されてきたオーディオデータのレベルが検出される。そして検出されたレベル情報ＳＬＶ１  はシステムコントローラ１１に供給される。
また端子１７からアナログ音声信号が入力される場合は、レベルメータ部１４ａにより、音声信号のレベル情報ＳＬＶ２  が検出され、システムコントローラ１１に供給される。
システムコントローラ１１はレベル情報ＳＬＶ１  又はＳＬＶ２  により、エンコーダ／デコーダ部１４に入力される音声データが無音状態となっているか否かを検出し、これによりソース側の音声信号が曲と曲の間のタイミング（つまりトラックチェンジ）となっているか否かを検出することもできる。
【００８４】
このような実施例においても、上述した第１、第２の動作例を適用してコレクションモード動作を実行することができる。
この場合、例えば多数のＣＤを収納して選択的に再生できるＣＤチェンジャーとの間でデジタルインターフェースで接続され、ＣＤチェンジャーの再生時にその再生音声データがデジタルオーディオインターフェース部２１を介して入力されるようにしておけば、ユーザーは気に入った曲が再生された時点で操作部１９でコレクションキーを押すという操作により、上記第１の実施例のような、気に入った曲のみが録音されたＭＤ１を得ることができる。
【００８５】
この場合再生側のトラックチェンジの情報はシステムコントローラ１１はＵビットデータとして得ることができるため、処理上で不都合はない。
また外部機器とアナログ音声ラインで接続されている場合でも同様の動作は可能であるが、この場合は、システムコントローラ１１は再生側のトラックチェンジの情報は得ることができない。そこでレベル情報ＳＬＶ２  を監視しており、或る程度の時間（例えば２〜５秒程度）無音状態が続いたら、トラックチェンジと判断するようにすればよい。
【００８６】
６．第３の実施例としてのＭＤ記録装置の構成及び動作
第３の実施例を図１０に示す。この実施例は、図１のミニディスク記録装置におけるＣＤプレーヤとして部位に代えてラジオチューナ部等の受信装置部を有する機器としている。なお、図９のブロック図において図１と同一機能部分は同一符号を付し、説明を省略する。
【００８７】
アンテナ４０で受信された信号はチューナ４１で復調され、ＡＧＣ／音量調節部４２で所定量の増幅処理が行なわれる。そして切換回路５４のＴＴＵ端子に供給される。ラジオ受信モードの場合にシステムコントローラ１１は切換回路５４をＴＴＵ端子に接続制御することで、受信音声がスピーカ５３から出力されることになる。
また受信音声信号はＡ／Ｄ変換器４３でデジタルデータとされ、エンコーダ／コーダ部１４にも供給される。
即ちこの実施例では、ラジオ受信音声をＭＤ１にエアチェック録音できる構成としている。
【００８８】
このような実施例においても、上述した第１、第２の動作例を適用してコレクションモード動作を実行することができる。
この場合コレクションモードにおいては、ラジオ受信中にシステムコントローラ１１は自動的に受信音声信号をＭＤ１に録音していくようにする。
そしてユーザーは気に入った曲などが流れた時点で操作部１９でコレクションキーを押すという操作により、上記第１の実施例のような、気に入った音声のみが録音されたＭＤ１を得ることができる。
【００８９】
この場合トラックの切れ目を判別するには、例えば放送がＦＭ多重放送などで、音声だけでなく各種の制御データ等が重畳されているものであれば、システムコントローラ１１はそのデータからＭＤ１上での記録トラックの変化点を把握することも可能となる。また通常のＦＭ／ＡＭ放送などの場合は、レベル情報ＳＬＶ２  を監視しており、或る程度の時間（例えば２〜５秒程度）無音状態が続いたら、トラックチェンジと判断するようにすればよい。
もちろんラジオ放送以外にも、テレビジョン放送、各種衛星放送等についても適用できる。
【００９０】
７．各種変形例
以上、各種実施例を説明してきたが、本発明はさらに多様な変形例が考えられる。
例えば記録媒体はＭＤであるとした実施例のみで述べたが、ＤＡＴなどのテープ上の記録媒体や、固体メモリなどを用いた記録装置としても適用できる。
また音声データだけでなく映像データ、文字データ等の記録にも適用できる。
【００９１】
さらに、実施例ではＭＤ１にトラックとして残しておくか否かの判別は、ユーザーのコレクションキーの操作に基づくものとしたが、これ以外に考えられる。例えば図１の実施例などにおいてＣＤプレーヤ部で再生される各トラックとしての再生回数などをカウントして記憶しておき、再生頻度が高い曲については有効と判断してＭＤ１に記録トラックとして残すようにすることなども考えられる。
【００９２】
【発明の効果】
以上説明したように本発明の記録装置は、入力された情報についての情報単位の変化を判別する情報単位判別手段を設け、また記録制御手段によって、情報の入力に応じて、その入力情報を自動的に記録手段で記録媒体に記録するようにする。そして情報単位の記録動作に関してその情報単位を有効とするか無効ととするかを設定する有効／無効設定手段を設け、さらに記録情報単位選択処理手段は、記録手段によって記録媒体に記録された情報単位のうち、有効／無効設定手段によって有効とされた情報単位のみが記録媒体上での記録データとして残されるように所定の処理を行なうようにしている。
このため、ユーザーは全く記録動作ということを意識せずに、例えばユーザーの気に入った曲（情報単位）のみが記録媒体に残されている状態を得ることができ、全く手間をかけずに好みのディスクなどを製作できるという効果がある。
【図面の簡単な説明】
【図１】本発明の第１の実施例のブロック図である。
【図２】ＭＤのＵ−ＴＯＣセクター０の説明図である。
【図３】ＭＤのＵ−ＴＯＣセクター０のリンク形態の説明図である。
【図４】実施例における第１の動作例の説明図である。
【図５】実施例のコレクションモード操作のための処理のフローチャートである。
【図６】実施例の第１の動作例のコレクションモード処理のフローチャートである。
【図７】実施例における第２の動作例の説明図である。
【図８】実施例の第２の動作例のコレクションモード処理のフローチャートである。
【図９】本発明の第２の実施例のブロック図である。
【図１０】本発明の第３の実施例のブロック図である。
【符号の説明】
１  ＭＤ
３，３２  光学ヘッド
６ａ  磁気ヘッド
８  エンコーダ／デコーダ部
１１  システムコントローラ
１２  メモリコントローラ
１３  バッファメモリ
１４  エンコーダ／デコーダ部
１４ａ  レベルメータ部
１９  操作部
２０  表示部
３０  ＣＤ
２１  デジタルオーディオインターフェース部
４１  チューナ
【図１】
0003557721.tif 000002
【図２】
0003557721.tif 000003
【図３】
0003557721.tif 000004
【図４】
0003557721.tif 000005
【図５】
0003557721.tif 000006
【図６】
0003557721.tif 000007
【図７】
0003557721.tif 000008
【図８】
0003557721.tif 000009
【図９】
0003557721.tif 000010
【図１０】
0003557721.tif 000011